(57)【要約】  【課題】おしゃぶりを継続して使用しても、衛生な状態を維持する。  【解決手段】吸収性シート体１０は、座板部２に乳首部３が設けられたおしゃぶり１に取り付けられ、透水層１１の内側に吸収層１２が設けられるとともに、乳首部３が挿通される挿通部１３が形成されており、乳児がおしゃぶり１を継続して使用しても、よだれ等を吸収層１２に吸収させて吸収層１２内で保水することによって、乳児の肌と接する吸収性シート体１０の主面部によだれ等が溜まることがなく、衛生な状態を維持することができる。  【選択図】図１
2008043643.tif 000002
【特許請求の範囲】
【請求項１】
座板部に乳首部が設けられたおしゃぶりに取り付けられる吸収性シート体において、
上記吸収性シート体は、透水層の内側に吸収層が設けられるとともに、
上記乳首部が挿通される挿通部が形成されていることを特徴とする吸収性シート体。
【請求項２】
上記透水層の一方の面には、上記座板部に貼着するための粘着層が設けられていることを特徴とする請求項１記載の吸収性シート体。
【請求項３】
座板部と、
上記座板部に設けられた乳首部と、
上記乳首部が挿通され、上記座板部に取り付けられる吸収性シート体とを備え、
上記吸収性シート体は、透水層の内側に吸収層が設けられるとともに、上記乳首部が挿通される挿通部が形成されていることを特徴とするおしゃぶり。
【請求項４】
上記透水層の一方の面には、上記座板部に貼着するための粘着層が設けられていることを特徴とする請求項３記載のおしゃぶり。
【発明の詳細な説明】
【技術分野】
【０００１】
本発明は、吸収性シート体及びこの吸収性シート体を備えるおしゃぶりに関する。
【背景技術】
【０００２】
乳児が口の中に入れて使用するおしゃぶりは、座板部と、この座板部に設けられた乳首部からなる。乳首部は、乳首と略同形状であり、乳児が乳首の代わりとしてくわえる部分であるため、柔らかい弾性材料で成形されている。座板部は、この乳首部を支持するため、機械的剛性を有する合成樹脂等で成形されている。
【０００３】
おしゃぶりは、継続して使用していると、乳児のよだれ等がおしゃぶりの座板部等に溜まり不衛生な状態になりがちである。また、おしゃぶりは、合成樹脂等からなる座板部と乳児の肌が継続して接するため、肌が圧迫されて肌荒れ等を起こす虞がある。
【０００４】
そこで、このような問題を解決するために特許文献１のおしゃぶりは、座板部の乳首部が設けられている側の面、すなわち、座板部と乳児の肌が接する面にガーゼ等で緩衝部を設けている。特許文献１のおしゃぶりは、おしゃぶりを継続して使用しても緩衝部が乳児の肌と接することになり、乳児の肌への圧迫を緩衝させ、乳児の肌荒れ等が起こることを防止することができる。
【０００５】
しかしながら、特許文献１のおしゃぶりは、緩衝部によって肌荒れ等が起こることを防止することはできるが、緩衝部が高い吸収力と保水力を有しておらず、継続して使用することによる乳児のよだれ等を緩衝部で吸収及び保水することができず、よだれ等が緩衝部又はおしゃぶりの座板部等に溜まりやすい。
【０００６】
【特許文献１】特開２００１−２７６１８６号公報
【発明の開示】
【発明が解決しようとする課題】
【０００７】
本発明は、このような従来の事情に鑑みて提案されたものであり、長期に亘って衛生的な状態を維持することができる吸収性シート体及びこの吸収性シート体を備えるおしゃぶりを提供することを目的とする。
【０００８】
また、本発明は、吸収性シート体の交換が容易なおしゃぶりを提供することを目的とする。
【課題を解決するための手段】
【０００９】
上述した目的を達成するために、本発明に係る吸収性シート体は、座板部に乳首部が設けられたおしゃぶりに取り付けられ、透水層の内側に吸収層が設けられるとともに、上記乳首部が挿通される挿通部が形成されている。
【００１０】
また、上述した目的を達成するために本発明に係るおしゃぶりは、座板部と、上記座板部に設けられた乳首部と、透水層の内側に吸収層が設けられるとともに、上記乳首部に挿通される挿通部が形成され、上記座板部に取り付けられる本発明に係る吸収性シート体とを備える。
【発明の効果】
【００１１】
本発明によれば、乳児がおしゃぶりを継続して使用しても、よだれ等を吸収性シート体の高吸収性及び高保水性を有する吸収層に吸収させて吸収層内で保水することができ、幼児と接する吸収性シート体の主面部によだれ等が溜まることを防止することができ、衛生な状態を維持することができる。
【発明を実施するための最良の形態】
【００１２】
以下、本発明を適用したおしゃぶり１及び吸収性シート体１０について、図面を参照して説明する。
【００１３】
本発明を適用したおしゃぶり１は、図１に示すように、おしゃぶり１を使用する乳児のよだれ等を本発明を適用した吸収性シート体１０に吸収させて吸収性シート体１０内に保水させることで、おしゃぶり１を継続して使用しても、おしゃぶり１を衛生な状態に維持させるものである。
【００１４】
このおしゃぶり１は、図２に示すように、座板部２と、この座板部２に設けられた乳首部３とを備えるものである。
【００１５】
乳首部３は、座板部２の略中央に設けられている。乳首部３は、略球状の先端部３ａと、この先端部３ａと連続し先端部３ａより小さな断面略楕円形状の基部３ｂとからなる。（以下、先端部３ａ及び基部３ｂを単に乳首部３ともいう。）乳首部３は、乳児が乳首の代わりとしてくわえる部分であるため、例えば、熱湯等による加熱殺菌によっても容易に劣化せず、柔らかい弾性材料で成形され、例えばシリコーンゴム等で成形されている。
【００１６】
なお、乳首部３は、上述した形状に限定されるものではなく、例えば断面略円形状でもよく、さらに先端部３ａより大きな基部３ｂからなる形状でもよい。
【００１７】
座板部２は、図２に示すように、使用者である乳児の両頬側である左右方向に広く、乳児の口元を覆い、乳児の口の中に入りきらない程度の大きさを有し、楽に鼻呼吸をすることができるように平面視上側を湾曲させて凹ませた平面視略矩形状に形成されている。座板部２は、乳児が乳首をくわえたとき、おしゃぶり１が乳児の両頬近傍に密接するように、図３に示すように、乳児の両頬近傍の領域の湾曲に沿った曲面形状に形成されている。座板部２は、乳児の肌と接する部分であるため、熱湯等による加熱殺菌によって容易に劣化せず、また、この乳首部３を支持するため、機械的剛性を有する合成樹脂で成形され、例えばポリプロピレンやポリカーボネート等で成形されている。座板部２は、図２に示すように、乳首部３の左右両側２箇所に、乳児が乳首部３をくわえても楽に呼吸をすることができるように、略円形状の呼吸孔４が形成されている。座板部２は、乳首部３が設けられていない側の面に、持ち運びや乳児の口からおしゃぶり１を取り出す等のために取手部５が取り付けられている。
【００１８】
なお、座板部２の呼吸孔４は、乳首部３の左右両側２箇所に限定されるものではなく、呼吸孔４の配置位置、数又は形状は、座板部２の大きさ、形状等によって適宜変更可能である。
【００１９】
取手部５は、図３に示すように、リング形状であり、座板部２の乳首部３が設けられていない側の面に回動可能に取り付けられている。取手部５は、座板部２と同様に、熱湯等による加熱殺菌によって容易に劣化せず、また、機械的剛性を有する合成樹脂で形成され、例えばポリプロピレンやポリカーボネート等で成形されている。
【００２０】
本発明を適用した吸収性シート体１０は、図３に示すように、おしゃぶり１の乳首部３が挿通され、座板部２に取り付けられる。この吸収性シート体１０は、本発明を適用したおしゃぶり１に取り付けられ、おしゃぶり１を使用する乳児のよだれ等を吸収して内部に保水することで、おしゃぶり１を継続して使用しても、おしゃぶり１を衛生な状態に維持させるものである。
【００２１】
吸収性シート体１０は、透水性を有する透水層１１ａ，１１ｂ（以下、透水層１１ａ，１１ｂを単に透水層１１ともいう。）の内側に吸収層１２を設けている。吸収性シート体１０は、透水層１１と吸収層１２との主面部略中央におしゃぶり１の乳首部３が挿通される挿通部１３が形成されている。吸収性シート体１０は、透水層１１の主面部の周縁近傍に、加熱圧着処理が施されて透水層１１を接合し、透水層１１によって吸収層１２を挟持し、透水層１１に設けるシール部１４が全周に亘って形成されている。吸収性シート体１０は、図２に示すように、一方の透水層１１ａの主面部で、吸収層１２及び他方の透水層１１ｂが積層されていない側の面に、おしゃぶり１の座板部２に取り付けるための粘着層１５が設けられている。
【００２２】
透水層１１は、図１及び図３に示すように、平面視略矩形状に形成されたおしゃぶり１の座板部２の一主面部を覆い、座板部２によだれ等が付かないような形状に形成され、例えば、座板部２の形状に対応させ、略同一又はやや大きな平面視略矩形状に形成されている。透水層１１は、透水性を有する不織布で形成され、使用者である乳児のよだれ等を素早く吸収性シート体１０内に吸い取り、吸収層１２へ導く。
【００２３】
なお、透水層１１は、一方の透水層１１ａの主面部で、吸収層１２及び他方の透水層１１ｂが積層されていない側の面に、防水シート等を設けて、吸収性シート体１０内に吸い取ったよだれ等が座板部２と対向する側に漏れるのを防ぐようにしてもよい。また、透水層１１は、一方の透水層１１ａに粘着層１５又は防水シートを設けることに限定されず、他方の透水層１１ｂに設けるようにしてもよい。
【００２４】
吸収層１２は、図３に示すように、透水層１１の内側に挟持されて設けられる層で、高吸水性、高保水性及び高吸収速度特性等を有する吸収繊維が加工された不織布が用いられ、例えば、ベルオアシス（登録商標）（帝人ファイバー株式会社製）が用いられている。吸収層１２は、吸収繊維が加工された不織布を用いることで、吸収性シート体１０全体の薄型化を図ることが出来る。吸収層１２は、透水層１１が対向する内側の面に設けられた図示しない接着剤によって、透水層１１の内側の面に接着されている。吸収層１２は、加熱圧着処理が施されて接合された透水層１１により挟持され、シール部１４より内側に形成されている。
【００２５】
なお、吸収層１２は、吸収性高分子ポリマー等の吸収剤を用いてもよい。なお、吸収層１２は、接着剤等を用いらずに透水層１１により挟持されて設けてもよい。
【００２６】
なお、透水層１１及び吸収層１２には、主面部に、乳児がおしゃぶり１の乳首部３をくわえても楽に呼吸ができるように、呼吸孔４の配置位置に対応させて、貫通孔を設けてもよい。
【００２７】
挿通部１３は、図２に示すように、透水層１１及び吸収層１２の主面部略中央に設けられた平面視略十字形状の切り込みである。挿通部１３の近傍は、挿通部１３に沿って加熱圧着処理が施されてシール部１４が形成され、透水層１１が接合されている。挿通部１３は、透水層１１及び吸収層１２に平面視略十字形状の切り込みを設けることによって、おしゃぶり１の乳首部３の先端部３ａが挿通部１３を挿通する際に、図１に示すように、先端部３ａの挿通方向にめくれ上がった切れ込み間のコーナ片１６ａ〜１６ｄ（以下、コーナ片１６ａ〜１６ｄを単にコーナ片１６ともいう。）が、先端部３ａが挿通部１３を挿通した後、先端部３ａより小さく形成されている基部３ｂの外周に沿って次第にめくれ上がる。このため、コーナ片１６は、基部３ｂの外周に隙間なく当接されている。
【００２８】
挿通部１３によるコーナ片１６のめくれ上がる量は、乳児が乳首部３をくわえたとき、コーナ片１６が唇にかからない程度が好ましい。また、挿通部１３は、透水層１１及び吸収層１２に平面視略十字形状の切り込みを設けることによって、曲面形状に形成されているおしゃぶり１の座板部２に沿って透水層１１及び吸収層１２がしわにならないように取り付けられている。
【００２９】
なお、挿通部１３は、平面視略十字形状の切り込みを設けることに限定されるものではなく、切れ込みの数は、例えば挿通されるおしゃぶり１の乳首部３の形状等によって適宜変更可能である。また、挿通部１３は、切れ込み間の透水層１１及び吸収層１２の片のめくれ上がりを少なくするため、平面視略十字形状に切り込みを設けるとともに、切り込みの略中央に、略円形状、略楕円形状等の挿通されるおしゃぶり１の乳首部３の基部３ｂの断面形状及び大きさに対応させた貫通孔を設けてもよい。
【００３０】
粘着層１５は、図２に示すように、一方の透水層１１ａの主面部に設けられ、吸収性シート体１０をおしゃぶり１の座板部２に取り付けるための再剥離可能な感圧接着剤である。粘着層１５は、透水層１１ａの主面部の上下２箇所に帯状に設けられている。粘着層１５は、図１に示すように、吸収性シート体１０をおしゃぶり１の座板部２に取り付けることで、おしゃぶり１から吸収性シート体１０が極めて容易に外れたり、ずれたりすることを防止するとともに、挿通部１３によって吸収性シート体１０がしわにならないよう座板部２に取り付けられている状態を維持させている。粘着層１５は、図示はしないが、粘着層１５の表面を使用寸前まで保護する剥離紙が設けられている。
【００３１】
なお、粘着層１５は、主面部の上下２箇所に帯状に設けられることに限定されるものではなく、数、配置位置等は適宜変更可能である。また、粘着層１５を設けず、吸収性シート体１０をおしゃぶり１の乳首部３に挿通されている状態で用いてもよい。
【００３２】
更に、粘着層１５を設けない場合、例えば座板部２の外周面に係止突起部を設け、吸収性シート体１０を係止突起部に係止させることで、吸収性シート体１０を位置決めし、さらにしわにならないように座板部２に取り付けてもよい。
【００３３】
なお、吸収性シート体１０は、透水層１１ａ，１１ｂの内側に挟持されて吸水層１２が設けられることに限定されず、一枚の透水層１１を重なるように折り曲げた内側に挟持されて吸水層１２を設けるようにしてもよい。
【００３４】
以上のように構成された吸収性シート体１０が取り付けられるおしゃぶり１は、図３に示すように、乳児が継続しておしゃぶり１を使用していると、乳児のよだれ等を透水性を有する透水層１１が吸収性シート体１０の内部に吸い取り、吸収層１２へ導く。そして、おしゃぶり１は、高吸収性、高保水性を有し、さらに高吸収速度特性を有する吸収層１２によってよだれ等が素早く吸収されて吸収層１２内で保水される。
【００３５】
おしゃぶり１は、よだれ等が高吸収速度特性を有する吸収層１２によって素早く吸収され吸収層１２内に保水されることで、使用者である乳児の肌と接する透水層１１の主面部が衛生な状態に維持され、挿通部１３によって、吸収性シート体１０がしわにならないようにおしゃぶり１の座板部２に取り付けられ、さらに粘着層１５によって、しわにならないよう取り付けられた状態が維持されることで、継続して使用してもおしゃぶり１の使い心地が維持される。
【００３６】
次に、おしゃぶり１に取り付けられている吸収性シート体１０を取り外す場合、再剥離可能な感圧接着剤でおしゃぶり１の座板部２に取り付けられている吸収性シート体１０は、引っ張る等して座板部２から剥離され、乳首部３から取り外される。
【００３７】
次に、吸収性シート体１０を再度おしゃぶり１に取り付ける場合、新しい吸収性シート体１０は、粘着層１５に設けられている剥離紙が剥がされ、図１に示すように、この吸収性シート体１０の挿通部１３におしゃぶり１の乳首部３が挿通され、吸収性シート体１０の透水層１１ａに設けられた粘着層１５を介しておしゃぶり１の座板部２に取り付けられる。
【００３８】
吸収性シート体１０をしゃぶり１に取り付けるときに、おしゃぶり１は、吸収性シート体１０に平面視略十字形状の切り込みが設けられているので、おしゃぶり１の乳首部３の先端部３ａが吸収性シート体１０の挿通部１３に挿通する際に、先端部３ａの挿通方向にめくれ上がった切れ込み間の吸収性シート体１０の片が、先端部３ａが挿通部１３を挿通した後、先端部３ａより小さく形成されている基部３ｂの外周に沿って次第に吸収性シート体１０の片のめくれ上がり、基部３ｂの外周に隙間なく吸収性シート体１０が設けられる。
【００３９】
本発明を適用したおしゃぶり１は、乳児がおしゃぶり１を継続して使用しても、よだれ等を高吸収性、高保水性を有し、さらに高吸収速度特性を有する吸収層１２に吸収させて吸収層１２内で保水することによって、幼児の肌と接する吸収性シート体１０の主面部によだれ等が溜まることがなく、おしゃぶり１の衛生な状態を維持することができる。
【００４０】
おしゃぶり１は、挿通部１３によって、吸収性シート体１０がしわにならないようにおしゃぶり１の座板部２に取り付けることができ、さらに粘着層１５によって、吸収性シート体１０がしわにならないよう取り付けられた状態が維持されることで、継続して使用しても吸収性シート体１０にしわが出来難く、おしゃぶり１の使い心地を維持することができる。
【００４１】
おしゃぶり１は、吸収性シート体１０に設けられた挿通部１３によって、おしゃぶり１の乳首部３の基部３ｂの外周に隙間なく吸収性シート体１０を設けることができ、おしゃぶり１の乳首部３と乳首部３が挿通される吸収性シート体１０の挿通部１３との隙間から座板部２によだれ等が付くことを防止することができて、おしゃぶり１の衛生な状態を維持することができる。
【００４２】
また、本発明を適用したおしゃぶり１は、粘着層１５によって取り外しが容易に行えることによって、吸収性シート体の交換が容易に行うことができる。
【図面の簡単な説明】
【００４３】
【図１】本発明を適用した吸収性シート体とこの吸収性シート体を取り付けた後のおしゃぶりの要部斜視図である。
【図２】本発明を適用した吸収性シート体とこの吸収性シート体を取り付ける前のおしゃぶりの要部斜視図である。
【図３】本発明を適用した吸収性シート体とおしゃぶりの要部横断面図である。
【符号の説明】
【００４４】
１  おしゃぶり、２  座板部、３  乳首部、４  呼吸孔、５  取手部、１０  吸収性シート体、１１  透水層、１２  吸収層、１３  挿通部、１４  シール部、１５  粘着層
【図１】
2008043643.tif 000003
【図２】
2008043643.tif 000004
【図３】
2008043643.tif 000005